(57)【要約】【課題】  遺体安置布団の機能を抗菌、脱臭、保冷機能を一体化する事により、腐敗に伴う異臭防止と遺体の損傷防止となり良好な状態を長時間保つことが可能な抗菌、脱臭、保冷機能を兼ね備えた遺体保存安置布団を得る。【解決手段】  遺体の胴体部に保冷剤を収納する断熱部材からなる保冷袋を設け、保冷袋を覆うとともに遺体と接する範囲に防腐布を配置し、この防腐布に抗菌・脱臭作用を有する薬剤を含着させる。【選択図】図２
2013034854.tif 000002
【特許請求の範囲】
【請求項１】
遺体保存安置布団であって、遺体の胸部及び腹部に当たる部位に保冷剤を収納する断熱部材からなる保冷袋を設け、この保冷袋部を覆い隠すとともに遺体と接する範囲に防腐布を縫製配置し、この防腐布に抗菌、消臭作用を有する薬剤を含着させたことを特徴とする遺体保存安置布団。
【請求項２】
上記防腐布に含着させる薬剤が、炭化珪素又は酸化珪素５０乃至７０％重量、酸化アルミニュウム１５乃至２５％重量、酸化チタン５乃至１０％重量の割合で焼成されてなる超微粒状抗菌セラミックスの粉体であることを特徴とする請求項１記載の遺体保存安置布団。
【請求項３】
上記防腐布に含着させる薬剤が、珪酸ジルコニウム１５乃至２５％重量、精製カリオン２０乃至２５％重量、精製タルク１５乃至２５％重量、天然放射性希土類２５乃至３０％重量の割合で生成されてなるセラミックス粉体であることを特徴とする請求項１記載の遺体保存安置布団。
【発明の詳細な説明】
【技術分野】
【０００１】  この発明は遺体の良好な保存を長時間持続させるために、保冷機能と、抗菌、脱臭効果を持たせ、遺体の保存効果を高める遺体安置布団に関するものである。
【背景技術】
【０００２】  今日までの遺体安置は遺体用の掛布団、敷布団に遺体を安置しドライアイス、又は保冷剤を遺体の両横に配置している。また、これで不十分なときには遺体に防腐剤などの抗菌薬剤を含浸させた白小袖の死装束を着装させるなどしていた。
【先行技術文献】
【特許文献】
【０００３】
【特許文献１】  特開２００５−１２６４０４号公報
【発明の概要】
【発明が解決しようとする課題】
【０００４】  上記のような従来の遺体安置方法は、夏期の高気温時の異臭発生と雑菌発生に伴う遺体の腐敗進行防止が困難であり、ドライアイス、保冷剤の頻繁な交換は経済的負担も大きく、精神的、実務的労働負担となっている。また抗菌薬剤を白小袖の死に装束などに含浸、包含あるいはコーティングするための準備をする必要があり、般用的な入手が困難であった。【０００５】  この発明は上述のような問題を解決するためになされたもので、遺体の保冷・抗菌・脱臭効果が長時間持続できる遺体保存安置布団を得ることを目的とする。
【課題を解決するための手段】
【０００６】  この発明の遺体保存安置布団は、遺体の胸部及び腹部に当たる部位に保冷剤を収納する保冷袋を設け、保冷袋部を覆い隠すとともに遺体と接する範囲に防腐布を縫製配置し、この防腐布に抗菌・消臭作用を有する薬剤を含着させたものである。【０００７】  また、防腐布に含着させる薬剤が、炭化珪素又は酸化珪素５０乃至７０％重量、酸化アルミニュウム１５乃至２５％重量、酸化チタン５乃至１０％重量の割合で焼成されてなる超微粒状抗菌セラミックスの粉体としたものである。【０００８】  そして、防腐布に含着させる薬剤が、珪酸ジルコニウム１５乃至２５％重量、精製カリオン２０乃至２５％重量、精製タルク１５乃至２５％重量、天然放射性希土類２５乃至３０％重量の割合で生成されてなるセラミックス粉体としたものである。
【発明の効果】
【０００９】  この発明の遺体保存安置布団では、断熱材を袋状にした保冷剤収容部を遺体の胸部及び腹部に当たる部位の布団本体に設け、しかも遠赤外線とマイナスイオンが発生する抗菌セラミックスを含着させた防腐布を遺体に接する部位に配置することによって、保冷効果及び抗菌効果と脱臭効果が得られ、遺体を長時間安置した場合でも腐敗の進行抑制と異臭防止を容易に可能とした。
【図面の簡単な説明】
【００１０】
【図１】  この発明の遺体保存安置布団の裏面図である。
【図２】  この発明の遺体保存安置布団の記号Ａ−Ａに沿う一部切欠断面図である。
【発明を実施するための形態】
【実施例１】
【００１１】  図１は、この発明の一実施の形態を示す抗菌、脱臭、保冷機能を備えた遺体保存安置布団を裏から見た図である。図２は、図１に示す遺体保存安置布団の一部切欠断面図である。
図において、１は布団本体であり、表地はポリエステル繊維の布生地である。２は万一水滴が発生した場合に、遺体の濡れ防止と布団本体１の布団表面の布生地が濡れないようにするための紙繊布である。
３は発泡ポリエチレンとアルミ蒸着フィルムからなる断熱素材で形成した保冷袋である。
４は保冷剤収容部であり、保冷袋３によって形成されており中に保冷剤を収容する。
５は防腐布であり、抗菌、消臭作用を有する薬剤が含着されている。防腐布５への薬剤の含着方法としては、一般的に該当薬剤を含む溶液に布を漬侵し、乾燥する方法等が用いられる。防腐布５は布団本体１の表面布生地の一部として遺体と接する部分に縫製される。
６は断熱材で形成した保冷袋３が布団本体１から離脱させないための縫付部である。７は保冷袋３の一方に設けられたファスナーであり、保冷剤の出し入れ口となり、ファスナー７を閉じると保冷剤の保冷袋３からの逸脱を防ぐ。８は布団本体１の中綿である。
そして、保冷袋３の防腐布５側は遺体に冷気を伝えるために、弱断熱構造にしている。
また、防腐布５の布素材の種類によっては、紙繊布２は省略しても良い。【００１２】  発明者等の探求によれば防腐布５に含着させる抗菌、消臭薬剤としての、第１の薬剤としては、炭化珪素又は酸化珪素５０乃至７０％重量、酸化アルミニュウム１５乃至２５％重量、酸化チタン５乃至１０％重量の割合で焼成されてなる超微粒状抗菌セラミックス粉体。【００１３】  そして、第２の薬剤として、珪酸ジルコニウム１５乃至２５％重量、精製カリオン２０乃至２５％重量、精製タルク１５乃至２５％重量、天然放射性希土類２５乃至３０％重量、割合で生成されてなる超微粒状抗菌セラミックス粉体が適していることを見出した。【００１４】  これら薬剤粉体を重量比０．１〜１．０％の水溶液にして、防腐布５の母布地を漬侵・乾燥して含着させる。又はこの水溶液に若干の糊を加え、母布地５に吹き付け散布・アイロン乾燥して含着させてもよい。【００１５】  抗菌セラミックス粉体の含着量を多くすれば抗菌・消臭効果は高まるが、高価なため実用的な抗菌・消臭効果が得られる含着量としては、薬剤粉体を重量比０．３〜０．６％の水溶液にするのが望ましい。含着方法、防腐布５の布種、及び糊の有無により、この範囲で濃度の使い分けをする。【００１６】  上記ように構成された遺体保存安置布団においては、布団本体１のみを遺体安置専用布団として使用できることは勿論であるが、遺体保存安置布団の中に一体化して設けられた保冷袋３は断熱部材で作られており収容された保冷剤の冷気を長時間逃がすこと無く保存できる。そして抗菌セラミックスを含着させた防腐布５は抗菌セラミックスが発する遠赤外線とマイナスイオンの作用により遺体が濡れる状態を防ぐ。水滴が発生した場合は紙繊布２が吸収する。【００１７】  保冷剤収納内部４に挿入した保冷剤からの冷気は保冷袋３の弱断熱部分から伝導され、遺体の長時間保冷効果が保たれる。保冷袋３への保冷剤の出し入れ部はファスナー７となっており、保冷剤の取替え、追加が容易に行なえる。防腐布５に含着させた薬剤からの抗菌効果と脱臭効果の働きが重合されて、遺体が発する異臭防止と腐敗抑制が可能となり、衛生管理上遺体を、良好な状態で安置することが出来る。
また、この発明の遺体安置布団は遺体の掛布団だけでなく敷布団にも用いて両面からの使用はさらなる異臭防止と腐敗抑制の効果を奏する。
【符号の説明】
【００１８】１  布団本体
２  紙繊布
３  保冷袋
４  保冷剤収納部
５  防腐布
６  縫付部
７  ファスナー
８  中綿
【図１】
2013034854.tif 000003
【図２】
2013034854.tif 000004